【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
プログラム配信サーバと画像形成装置を含むシステムであって、
前記プログラム配信サーバは、
配信対象の複数のプログラムの検索を行うプログラム検索手段と、
他の契約書との依存関係情報を含む契約書情報を記憶する記憶部から、前記プログラム検索手段により検索された複数のプログラムのそれぞれに対応する契約書情報を検索する契約書検索手段と、
前記プログラム検索手段により検索された複数のプログラムと、前記契約書検索手段により検索された契約書情報とをひとつのデータに統合する第１の統合手段と、
前記第１の統合手段により統合されたデータを、前記画像形成装置に配信する配信手段と、を有し、
前記画像形成装置は、
前記プログラム配信サーバから前記統合されたデータを配信された際に、当該統合されたデータ内の契約書情報に含まれる依存関係情報から、それぞれの契約書情報の間で内容を包含しているものがあるか否かを判断する依存関係判断手段と、
前記依存関係判断手段により他の契約書情報に包含されると判断された契約書情報を削除する削除処理手段と、
前記削除処理手段による処理の後、残った契約書情報を統合する第２の統合手段と、
前記統合された契約書情報に基づく承認に応じて、前記統合されたデータ内の複数のプログラムのインストールを行うインストール手段と、を有することを特徴とするシステム。
【請求項２】
外部装置から複数のプログラムと当該複数のプログラムのそれぞれに対応する契約書情報を取得した際に、前記契約書情報に含まれる依存関係情報からそれぞれの契約書情報の間で内容を包含しているものがあるか否かを判断する依存関係判断手段と、
前記依存関係判断手段により他の契約書情報に包含されると判断された契約書情報を削除する第１の削除処理手段と、
前記第１の削除処理手段による処理の後、残った契約書情報を統合する統合手段と、
前記統合手段により統合された契約書情報における重複する部分を削除する第２の削除処理手段と、
前記第２の削除処理手段による処理が行われた契約書情報の承認を行うための承認手段と、
前記承認手段により承認された契約書情報に対応する前記取得された複数のプログラムのインストールを行うインストール手段と、を有することを特徴とする画像形成装置。
【請求項３】
前記契約書情報に含まれる優先度情報から、それぞれの契約書情報の間の優先順位を判断する優先度判断手段を有し、
前記第１の削除処理手段は、前記優先度判断手段により最も優先度が低いと判断された契約書情報を削除することを特徴とする請求項２に記載の画像形成装置。
【請求項４】
前記契約書情報に含まれる対応するプログラムの製作者情報から、前記複数のプログラムにおいて同一の製作者によるものがあるか否かを判断する製作者判断手段を有し、
第２の削除処理手段は、前記製作者判断手段により同一の製作者によると判断された複数のプログラムのそれぞれに対応する契約書情報が前記統合手段により統合された際に、当該統合された契約書情報における重複する部分を削除し、
前記承認手段は、前記第２の削除処理手段による処理が行われた後に、前記製作者判断手段により同一の製作者によると判断された際に統合された契約書情報について、それぞれ個別に承認を行うことを特徴とする請求項２または３に記載の画像形成装置。
【請求項５】
外部装置から複数のプログラムと当該複数のプログラムのそれぞれに対応する契約書情報を取得した際に、前記契約書情報に含まれる依存関係情報からそれぞれの契約書情報の間で内容を包含しているものがあるか否かを判断する依存関係判断工程と、
前記依存関係判断工程で他の契約書情報に包含されると判断された契約書情報を削除する第１の削除処理工程と、
前記第１の削除処理工程での処理の後、残った契約書情報を統合する統合工程と、
前記統合工程で統合された契約書情報における重複する部分を削除する第２の削除処理工程と、
前記第２の削除処理工程で処理が行われた契約書情報の承認を行うための承認工程と、
前記承認工程で承認された契約書情報に対応する前記取得された複数のプログラムのインストールを行うインストール工程と、を有することを特徴とする制御方法。
【請求項６】
請求項２乃至４のいずれかひとつに記載の手段としてコンピュータを機能させることを特徴とするプログラム。
【手続補正２】
【補正対象書類名】明細書
【補正対象項目名】発明の名称
【補正方法】変更
【補正の内容】
【発明の名称】システム、画像形成装置、制御方法およびプログラム
【手続補正３】
【補正対象書類名】明細書
【補正対象項目名】０００８
【補正方法】変更
【補正の内容】
【０００８】
本発明の一実施形態のシステムは、プログラム配信サーバと画像形成装置を含むシステムである。前記プログラム配信サーバは、配信対象の複数のプログラムの検索を行うプログラム検索手段と、他の契約書との依存関係情報を含む契約書情報を記憶する記憶部から、前記プログラム検索手段により検索された複数のプログラムのそれぞれに対応する契約書情報を検索する契約書検索手段と、前記プログラム検索手段により検索された複数のプログラムと、前記契約書検索手段により検索された契約書情報とをひとつのデータに統合する第１の統合手段と、前記第１の統合手段により統合されたデータを、前記画像形成装置に配信する配信手段と、を有する。また、前記画像形成装置は、前記プログラム配信サーバから前記統合されたデータを配信された際に、当該統合されたデータ内の契約書情報に含まれる依存関係情報から、それぞれの契約書情報の間で内容を包含しているものがあるか否かを判断する依存関係判断手段と、前記依存関係判断手段により他の契約書情報に包含されると判断された契約書情報を削除する削除処理手段と、前記削除処理手段による処理の後、残った契約書情報を統合する第２の統合手段と、前記統合された契約書情報に基づく承認に応じて、前記統合されたデータ内の複数のプログラムのインストールを行うインストール手段と、を有する。
【手続補正４】
【補正対象書類名】明細書
【補正対象項目名】０００９
【補正方法】変更
【補正の内容】
【０００９】
また、本発明の一実施形態の画像形成装置は、外部装置から複数のプログラムと当該複数のプログラムのそれぞれに対応する契約書情報を取得した際に、前記契約書情報に含まれる依存関係情報からそれぞれの契約書情報の間で内容を包含しているものがあるか否かを判断する依存関係判断手段と、前記依存関係判断手段により他の契約書情報に包含されると判断された契約書情報を削除する第１の削除処理手段と、前記第１の削除処理手段による処理の後、残った契約書情報を統合する統合手段と、前記統合手段により統合された契約書情報における重複する部分を削除する第２の削除処理手段と、前記第２の削除処理手段による処理が行われた契約書情報の承認を行うための承認手段と、前記承認手段により承認された契約書情報に対応する前記取得された複数のプログラムのインストールを行うインストール手段と、を有する。
【手続補正５】
【補正対象書類名】明細書
【補正対象項目名】００１０
【補正方法】変更
【補正の内容】
【００１０】
本発明の一実施形態の制御方法は、外部装置から複数のプログラムと当該複数のプログラムのそれぞれに対応する契約書情報を取得した際に、前記契約書情報に含まれる依存関係情報からそれぞれの契約書情報の間で内容を包含しているものがあるか否かを判断する依存関係判断工程と、前記依存関係判断工程で他の契約書情報に包含されると判断された契約書情報を削除する第１の削除処理工程と、前記第１の削除処理工程での処理の後、残った契約書情報を統合する統合工程と、前記統合工程で統合された契約書情報における重複する部分を削除する第２の削除処理工程と、前記第２の削除処理工程で処理が行われた契約書情報の承認を行うための承認工程と、前記承認工程で承認された契約書情報に対応する前記取得された複数のプログラムのインストールを行うインストール工程と、を有する。